(57)【要約】【課題】表示部で全金種の在高情報が画一的に表示されることによる不都合を解消する。【解決手段】貨幣処理装置は、在高情報の表示態様を金種情報に紐付けて記憶した記憶部６０の記憶内容に基づいて在高情報を表示する表示部４０であって、ある一つの金種に関する在高情報と別の一つの金種に関する在高情報とを異なる態様で表示する表示部４０を備える。【選択図】図９
2018190470.tif 000002
【特許請求の範囲】
【請求項１】
貨幣を処理する貨幣処理装置において、
在高情報の表示態様を金種情報に紐付けて記憶した記憶部の記憶内容に基づいて金種毎に在高情報を表示する表示部を備え、
第一表示状態において、高額金種に関して前記表示部で表示される情報量は、低額金種に関して前記表示部で表示される情報量と比較して少ない
ことを特徴とする貨幣処理装置。
【請求項２】
第一表示状態において、前記高額金種に対する在高情報は前記表示部で表示されないことを特徴とする請求項１に記載の貨幣処理装置。
【請求項３】
第一表示状態において、前記高額金種に関する前記表示部で表示される在高情報は当該高額金種の枚数を含まないことを特徴とする請求項１又は２に記載の貨幣処理装置。
【請求項４】
記憶部に記憶された在高情報に対する複数の表示態様の中から、前記高額金種に対する在高情報の表示態様を切り替え表示可能となっていることを特徴とする請求項１乃至３のいずれか１項に記載の貨幣処理装置。
【請求項５】
操作者からの指令を受け付ける操作部からの入力を受けて、前記高額金種に対する在高情報の表示態様が切り替えられることを特徴とする請求項４に記載の貨幣処理装置。
【請求項６】
前記高額金種に対する在高情報の表示態様は、当該高額金種の在高に応じて切り替えられることを特徴とする請求項１乃至５のいずれか１項に記載の貨幣処理装置。
【請求項７】
前記高額金種に対する在高情報の表示態様は、当該高額金種の在高が第一閾値未満の場合には第一表示状態となり、当該高額金種の在高が第一閾値以上の場合には第二表示状態となることを特徴とする請求項６に記載の貨幣処理装置。
【請求項８】
前記高額金種に対する在高情報の表示態様は、当該高額金種の在高が第二閾値より大きい場合には第一表示状態となり、当該高額金種の在高が第二閾値以下の場合には第三表示状態となることを特徴とする請求項６又は７のいずれかに記載の貨幣処理装置。
【請求項９】
前記高額金種に対する在高情報の表示態様は、貨幣を回収する回収モード又は貨幣を補充する補充モードとなっている場合には第四表示状態となり、貨幣を通常に処理する通常モードとなっている場合には第一表示状態となることを特徴とする請求項１乃至８のいずれか１項に記載の貨幣処理装置。
【請求項１０】
前記高額金種に対する在高情報の表示態様は、第二表示状態、第三表示状態又は第四表示状態となった場合でも、所定の時間が経過するか又は操作部からの入力を受けて第一表示状態に戻ることを特徴とする請求項９に記載の貨幣処理装置。
【請求項１１】
前記高額金種に対する在高情報の表示態様が切り替えられる在高の値を変更するための変更モードに切替可能となっていることを特徴とする請求項６乃至１０のいずれか１項に記載の貨幣処理装置。
【請求項１２】
貨幣を処理する貨幣処理装置を含む貨幣処理システムにおいて、
在高情報の表示態様を金種情報に紐付けて記憶した記憶部と、
前記記憶部の記憶内容に基づいて金種毎に在高情報を表示する表示部と、
を備え、
第一表示状態において、高額金種に関して前記表示部で表示される情報量は、低額金種に関して前記表示部で表示される情報量と比較して少ない
ことを特徴とする貨幣処理システム。
【請求項１３】
前記貨幣処理装置と通信可能な外部装置をさらに備え、
前記外部装置が前記表示部を有することを特徴とする請求項１２に記載の貨幣処理システム。
【請求項１４】
貨幣を処理する貨幣処理装置内の在高を表示する在高表示方法において、
在高情報の表示態様を金種情報に紐付けて記憶した記憶部から記憶内容を読み出すステップと、
前記記憶部から読み出された前記記憶内容に基づいて、表示部によって、金種毎に在高情報を異なる態様で表示するステップと、
を含み、
第一表示状態において、高額金種に関して前記表示部で表示される情報量は、低額金種に関して前記表示部で表示される情報量と比較して少ない
ことを特徴とする在高表示方法。
【発明の詳細な説明】
【技術分野】
【０００１】
本発明は、貨幣を処理する貨幣処理装置、貨幣処理システム及び在高表示方法に関する。
【背景技術】
【０００２】
従来から、貨幣の処理を行う貨幣処理装置であって、様々な情報を表示する表示部を備えたものが知られている（例えば、特許文献１及び２参照）。特許文献１では、操作表示部に硬貨釣銭機及び紙幣釣銭機に収納された硬貨及び紙幣の金種毎の枚数、並びに、出金リジェクト部及び紙幣回収カセットに収納された紙幣の枚数が表示されることが示され、操作者が「在高」キーを押下すると、硬貨釣銭機及び紙幣釣銭機に収納された硬貨及び紙幣の金種毎の枚数、出金リジェクト部及び紙幣回収カセットに収納された紙幣の枚数、並びに、合計金額が表示されることが示されている。
【先行技術文献】
【特許文献】
【０００３】
【特許文献１】特開２０１３−１０１５４６号公報
【特許文献２】特開２０１３−  ４１５７２号公報
【発明の概要】
【発明が解決しようとする課題】
【０００４】
しかしながら、特許文献１及び２に開示された貨幣処理装置のいずれにおいても、在高の量に応じて表示態様が変わる態様とはなっているものの、全金種に関して画一的な表示処理が行われている。このように全金種に関して画一的な表示処理が行われ、表示部で全金種が画一的に表示されると、購入客等の第三者にも在高情報（特に高額紙幣の在高情報）が分かったしまうことから、セキュリティ面での問題がある。また、１００円均一ショップ等の取引単価が低い店舗では、硬貨は入出金量が多いことから、補充の必要性や回収の必要性をいち早く気づくために、硬貨の在高を継続的に認識する必要があるが、紙幣に関しては入出金量が少ないことから、紙幣の在高を継続的に認識する必要性は低い。そうであるにも関わらず、全金種に関して画一的な表示がなされると、認識する必要性の高い金種（例えば硬貨）の過不足が目立たなくなってしまう。他方、所定の低額金種（例えば１円や５円）の入出金量が少ない店舗では、このような所定の低額金種の在高を継続的に認識する必要性は低い。そうであるにも関わらず、全金種に関して画一的な表示がなされると、認識する必要性の高い高額金種の過不足が目立たなくなってしまう。
【０００５】
本発明は、このような点を鑑みてなされたものであり、表示部で全金種の在高情報が画一的に表示されることによる不都合を解消するための貨幣処理装置、貨幣処理システム及び在高表示方法を提供する。
【課題を解決するための手段】
【０００６】
本発明による貨幣処理装置は、
貨幣を処理する貨幣処理装置であって、
在高情報の表示態様を金種情報に紐付けて記憶した記憶部の記憶内容に基づいて金種毎に在高情報を表示する表示部を備え、
第一表示状態において、高額金種に関して前記表示部で表示される情報量は、低額金種に関して前記表示部で表示される情報量と比較して少ない
ことを特徴とする。
【０００７】
本発明による貨幣処理装置では、
第一表示状態において、前記高額金種に対する在高情報は前記表示部で表示されなくてもよい。
【０００８】
本発明による貨幣処理装置では、
第一表示状態において、前記高額金種に関する前記表示部で表示される在高情報は当該高額金種の枚数を含まなくてもよい。
【０００９】
本発明による貨幣処理装置では、
記憶部に記憶された在高情報に対する複数の表示態様の中から、前記高額金種に対する在高情報の表示態様を切り替え表示可能となっていてもよい。
【００１０】
本発明による貨幣処理装置では、
操作者からの指令を受け付ける操作部からの入力を受けて、前記高額金種に対する在高情報の表示態様が切り替えられてもよい。
【００１１】
本発明による貨幣処理装置では、
前記高額金種に対する在高情報の表示態様は、当該高額金種の在高に応じて切り替えられてもよい。
【００１２】
本発明による貨幣処理装置では、
前記高額金種に対する在高情報の表示態様は、当該高額金種の在高が第一閾値未満の場合には第一表示状態となり、当該高額金種の在高が第一閾値以上の場合には第二表示状態となってもよい。
【００１３】
本発明による貨幣処理装置では、
前記高額金種に対する在高情報の表示態様は、当該高額金種の在高が第二閾値より大きい場合には第一表示状態となり、当該高額金種の在高が第二閾値以下の場合には第三表示状態となってもよい。
【００１４】
本発明による貨幣処理装置では、
前記高額金種に対する在高情報の表示態様は、貨幣を回収する回収モード又は貨幣を補充する補充モードとなっている場合には第四表示状態となり、貨幣を通常に処理する通常モードとなっている場合には第一表示状態となってもよい。
【００１５】
本発明による貨幣処理装置では、
前記高額金種に対する在高情報の表示態様は、第二表示状態、第三表示状態又は第四表示状態となった場合でも、所定の時間が経過するか又は操作部からの入力を受けて第一表示状態に戻ってもよい。
【００１６】
本発明による貨幣処理装置では、
前記高額金種に対する在高情報の表示態様が切り替えられる在高の値を変更するための変更モードに切替可能となっていてもよい。
【００１７】
本発明による貨幣処理システムは、
貨幣を処理する貨幣処理装置を含む貨幣処理システムであって、
在高情報の表示態様を金種情報に紐付けて記憶した記憶部と、
前記記憶部の記憶内容に基づいて金種毎に在高情報を表示する表示部と、
を備え、
第一表示状態において、高額金種に関して前記表示部で表示される情報量は、低額金種に関して前記表示部で表示される情報量と比較して少ない
ことを特徴とする。
【００１８】
本発明による貨幣処理システムは、
前記貨幣処理装置と通信可能な外部装置をさらに備え、
前記外部装置が前記表示部を有してもよい。
【００１９】
本発明による在高表示方法は、
貨幣を処理する貨幣処理装置内の在高を表示する在高表示方法であって、在高情報の表示態様を金種情報に紐付けて記憶した記憶部から記憶内容を読み出すステップと、
前記記憶部から読み出された前記記憶内容に基づいて、表示部によって、金種毎に在高情報を異なる態様で表示するステップと、
を含み、
第一表示状態において、高額金種に関して前記表示部で表示される情報量は、低額金種に関して前記表示部で表示される情報量と比較して少ない
ことを特徴とする。
【発明の効果】
【００２０】
本発明によれば、表示部で全金種の在高情報が画一的に表示されることによる不都合を解消することができる。
【図面の簡単な説明】
【００２１】
【図１】図１は、本発明の第１の実施の形態による貨幣処理システムの一部を示す斜視図である。
【図２】図２は、本発明の第１の実施の形態による貨幣処理システムの構成を示す概略構成図である。
【図３】図３は、本発明の第１の実施の形態による貨幣処理システムの構成を簡略化して示した制御ブロック図である。
【図４】図４は、本発明の第１の実施の形態による貨幣処理システムの構成を示した制御ブロック図である。
【図５】図５は、本発明の第１の実施の形態による硬貨処理装置の外観を示す斜視図である。
【図６】図６は、本発明の第１の実施の形態の変形例による貨幣処理システムの構成を示す概略構成図である。
【図７】図７は、本発明の第１の実施の形態の変形例による貨幣処理システムにける精査処理の流れの概略を示した図である。
【図８】図８（ａ）は、本発明の第１の実施の形態の変形例による貨幣処理システムにけるオーバーフローの退避処理の流れの概略を示した図であり、図８（ｂ）は、オーバーフローの復活処理の流れの概略を示した図である。
【図９】図９は、本発明の第１の実施の形態で採用される表示部で表示される表示態様であって、各金種に関して第一表示状態となっている際の第一の例を示した図である。
【図１０】図１０は、本発明の第１の実施の形態で採用される表示部で表示される表示態様であって、各金種に関して第一表示状態となっている際の第二の例を示した図である。
【図１１】図１１は、本発明の第１の実施の形態で採用される表示部で表示される表示態様であって、千円に関して第二表示状態となり、その他の金種に関して第一表示状態となっている際の一例を示した図である。
【図１２】図１２は、本発明の第１の実施の形態で採用される表示部で表示される表示態様であって、一万円に関して第二表示状態となり、その他の金種に関して第一表示状態となっている際の別の例を示した図であって、一万円の在高が第三閾値未満となっている際の図である。
【図１３】図１３は、本発明の第１の実施の形態で採用される表示部で表示される表示態様であって、一万円に関して第二表示状態となり、その他の金種に関して第一表示状態となっている際の別の例を示した図であって、一万円の在高が第三閾値以上となっている際の図である。
【図１４】図１４は、本発明の第１の実施の形態で採用される表示部で表示される表示態様であって、千円に関して第三表示状態となり、その他の金種に関して第一表示状態となっている際の一例を示した図である。
【図１５】図１５は、本発明の第１の実施の形態で採用される表示部で表示される表示態様であって、千円に関して第三表示状態となり、その他の金種に関して第一表示状態となっている際の別の例を示した図であって、千円の在高が第四閾値より大きくなっている際の図である。
【図１６】図１６は、本発明の第１の実施の形態で採用される表示部で表示される表示態様であって、千円に関して第三表示状態となり、その他の金種に関して第一表示状態となっている際の別の例を示した図であって、千円の在高が第四閾値以下となっている際の図である。
【図１７】図１７は、本発明の第１の実施の形態で採用される表示部で表示される表示態様であって、各金種に関して第四表示状態となっている際の一例を示した図である。
【図１８】図１８は、本発明の第１の実施の形態で採用される表示部で表示される表示態様であって、各金種に関して第一表示状態となっている際の第三の例を示した図である。
【図１９】図１９は、本発明の第１の実施の形態で採用される表示部で表示される表示態様であって、各金種に関して第一表示状態となっている際の第四の例を示した図である。
【図２０】図２０は、本発明の第１の実施の形態で採用される表示部で表示される表示態様であって、各金種に関して第一表示状態となっている際の第五の例を示した図である。
【図２１】図２１は、本発明の第１の実施の形態で採用される表示部で表示される表示態様であって、五千円に関して第二表示状態となり、その他の金種に関して第一表示状態となっている際の別の例を示した図であって、五千円に関して強調表示された態様を示した図である。
【図２２】図２２は、本発明の第２の実施の形態で採用される表示部で表示される表示態様の一例を示した図である。
【図２３】図２３は、本発明の第２の実施の形態で採用される表示部で表示される表示態様の別の例を示した図である。
【図２４】図２４は、本発明の第３の実施の形態で採用される表示部で表示される表示態様の一例を示した図である。
【図２５】図２５は、本発明の第３の実施の形態で採用される表示部で表示される表示態様の別の例を示した図である。
【発明を実施するための形態】
【００２２】
《構成》
以下、本発明に係る貨幣処理装置、貨幣処理システム及び在高表示方法の実施の形態について、図面を参照して説明する。ここで、図１乃至図２５は本発明の実施の形態を説明するための図である。なお、本願において「貨幣」とは「硬貨」、「紙幣」又は「硬貨」及び「紙幣」の両方のことを意味する。したがって、本願の「貨幣処理装置」は、「硬貨処理装置１００」、「紙幣処理装置２００」、又は、「硬貨処理装置１００」及び「紙幣処理装置２００」の両方のことを意味する。なお、以下では、貨幣処理装置が硬貨処理装置１００及び紙幣処理装置２００の両方を含む態様を用いて説明する。
【００２３】
本願の貨幣処理システムは、硬貨を処理する硬貨処理装置１００の他に、紙幣を処理する紙幣処理装置２００及び／又は棒金を収納するための棒金ドロア５０６を有する棒金管理装置５００を備えていてもよい（図１乃至図４参照）。また、本願の貨幣処理システムは、硬貨処理装置１００、紙幣処理装置２００及び棒金管理装置５００のいずれか１つ以上に接続されたＰＯＳレジスタ３００、パソコン、サーバ４００等を備えてもよい。硬貨処理装置１００の他に、紙幣を処理する紙幣処理装置２００及び／又は棒金を収納するための棒金管理装置５００を備えている場合には、硬貨処理装置１００と、紙幣処理装置２００及び／又は棒金管理装置５００とは、別体となっていてもよいし一体となっていてもよい。なお、外部装置とは、対象となっている装置以外の装置のことを意味し、例えば硬貨処理装置１００から見た場合には硬貨処理装置１００以外のあらゆる装置が外部装置に該当し、上述した例で言うと、紙幣処理装置２００、棒金管理装置５００、ＰＯＳレジスタ３００、パソコン、サーバ４００等が外部装置に該当する。また、紙幣処理装置２００から見た場合には紙幣処理装置２００以外のあらゆる装置が外部装置に該当し、上述した例で言うと、硬貨処理装置１００、棒金管理装置５００、ＰＯＳレジスタ３００、パソコン、サーバ４００等が外部装置に該当する。また、例えば硬貨処理装置１００及び紙幣処理装置２００を含む貨幣処理装置から見た場合には貨幣処理装置以外のあらゆる装置が外部装置に該当し、上述した例で言うと、棒金管理装置５００、ＰＯＳレジスタ３００、パソコン、サーバ４００等が外部装置に該当する。
【００２４】
本実施の形態では、硬貨処理装置１００、紙幣処理装置２００、棒金管理装置５００、ＰＯＳレジスタ３００及びサーバ（例えば店舗サーバ）４００を備えた貨幣処理システムを用いて説明する。なお、図２乃至図４は、本実施の形態の貨幣処理システムの構成を示すための図面である。
【００２５】
図２乃至図４に示すように、本実施の形態のＰＯＳレジスタ３００はサーバ４００に通信接続されている。そして、ＰＯＳレジスタ３００からサーバ４００に売上金情報等の情報が送信されるようになっている。また、各種設定情報等の情報が、サーバ４００からＰＯＳレジスタ３００（複数台でも可）に配信されるようになっている。
【００２６】
図３及び図４に示すように、硬貨処理装置１００は、後述する操作表示部１５２を含む硬貨処理装置１００の一部や紙幣処理装置２００の一部等を制御する上位制御部１０１と、硬貨処理装置１００を制御する硬貨制御部１０２を有しており、これらの上位制御部１０１及び硬貨制御部１０２は通信接続されている。また、紙幣処理装置２００は、紙幣処理装置２００を制御する紙幣制御部２０２を有しており、この紙幣制御部２０２は硬貨処理装置１００の上位制御部１０１に通信接続されている。また、棒金管理機５００は、棒金管理機５００を制御する棒金制御部５０２を有しており、この棒金制御部５０２は硬貨処理装置１００の上位制御部１０１に通信接続されている。また、図４に示すように、ＰＯＳレジスタ３００は、ＰＯＳレジスタ３００を制御するＰＯＳ制御部３０２を有しており、このＰＯＳレジスタ３００のＰＯＳ制御部３０２は硬貨処理装置１００の上位制御部１０１に通信接続されている。
【００２７】
そして、硬貨処理装置１００において硬貨の入金処理、出金処理、精査処理、回収処理等の様々な処理を行うと、硬貨処理装置１００の硬貨識別部１５０で識別された結果は硬貨処理装置１００からＰＯＳレジスタ３００に出力されて、当該結果が後述するＰＯＳ表示部３５１で表示される。また、紙幣処理装置２００において紙幣の入金処理、出金処理、精査処理、回収処理等の様々な処理を行うと、紙幣処理装置２００の紙幣識別部２５０で識別された結果も紙幣処理装置２００から上位制御部１０１を介してＰＯＳレジスタ３００に出力されて、当該結果がＰＯＳ表示部３５１で表示される。また、棒金管理機から出力される棒金の有無に関する情報、棒金の金種に関する情報等も棒金管理機５００から上位制御部１０１を介してＰＯＳレジスタ３００に出力されて、当該情報がＰＯＳ表示部３５１で表示される。
【００２８】
以下、紙幣処理装置２００、硬貨処理装置１００、棒金管理機５００及びＰＯＳレジスタ３００の構成について、説明する。
【００２９】
《紙幣処理装置２００》
まず、本実施の形態の紙幣処理装置２００の構成について説明する。ちなみに、本実施の形態の紙幣処理装置２００は、スーパー、コンビニエンスストア、ショッピングモール、百貨店等の様々な場所で利用され、紙幣の入出金処理を行う紙幣釣銭機となっている。ところで、紙幣処理装置２００としてはこのような紙幣釣銭機には限られることはなく、例えば紙幣入金機、紙幣出金機、券売機、自動販売機等も含まれる。
【００３０】
図２に示すように、紙幣処理装置２００は、略直方体形状の紙幣筐体２０３と、紙幣を紙幣筐体２０３の外部から入金するための紙幣受入部２１０と、紙幣受入部２１０から入金された紙幣を搬送する紙幣搬送部２２０と、紙幣受入部２１０から入金された紙幣の金種等を識別して計数する紙幣識別部２５０と、紙幣搬送部２２０で搬送された紙幣を収納するとともに収納された紙幣を繰り出す紙幣収納部２６０と、リジェクト紙幣や紙幣収納部２６０に収納されていた紙幣を出金するための紙幣払出部２９０と、を備えている。なお、紙幣搬送部２２０は、図２に示すように、紙幣筐体２０３内の略中央部に設けられた環状の周回搬送部２２０ａと、紙幣受入部２１０、紙幣収納部２６０、紙幣払出部２９０等と、周回搬送部２２０ａとの間をそれぞれ接続する複数の接続搬送部２２０ｂとを有している。ちなみに、周回搬送部２２０ａに紙幣識別部２５０が設けられている。また、本実施の形態の紙幣収納部２６０は金種別に紙幣を収納する３つの金種別紙幣収納部２６１（２６１ａ，２６１ｂ，２６１ｃ）を有している。
【００３１】
紙幣受入部２１０は、紙幣が入金されると自動で又は操作表示部１５２、ボタン式操作部１５３、ＰＯＳ操作部３５２等からの入力信号を受けて駆動されて当該紙幣を紙幣筐体２０３内に繰り出す入金紙幣操出部（図示せず）を有している。また、紙幣収納部２６０は、必要に応じて紙幣収納部２６０から紙幣を繰り出す出金紙幣繰出部（図示せず）を有している。
【００３２】
また、図２に示すように、紙幣搬送部２２０には、回収処理を行う際に紙幣収納部２６０から繰り出された紙幣を収納する回収カセット２３５が連結されている。なお、紙幣識別部２５０で識別された紙幣の金種を収納するための紙幣収納部２６０がフル（満杯）状態又はニアフル（ほぼ満杯）状態である場合には、この紙幣はオーバーフロー紙幣として、回収カセット２３５に収納される。
【００３３】
また、図２に示すように、紙幣搬送部２２０には、紙幣収納部２６０から繰り出された紙幣が紙幣識別部２５０によって識別できない場合に、当該紙幣（出金リジェクト紙幣）を収納する出金リジェクト部２３０が連結されている。
【００３４】
紙幣処理装置２００の各金種に関する在高は、対象となる金種別紙幣収納部２６１に収納された紙幣の枚数から当該金種別紙幣収納部２６１から繰り出された紙幣の枚数を差し引くことで算出可能となる。より具体的には、各金種別紙幣収納部２６１に対応して設けられた検知センサ２２５からの情報に基づいて対象となる金種別紙幣収納部２６１内に紙幣が収納されたことが検出され、他方、当該検知センサ２２５からの情報に基づいて対象となる金種別紙幣収納部２６１から紙幣が繰り出されたことが検出される。
【００３５】
なお、金種別紙幣収納部２６１の各々に、金種別紙幣収納部２６１内に収納されている紙幣の残量を検知する収容量検知センサ２６２（図４参照）が設けられてもよい。このような収容量検知センサ２６２が設けられている場合には、当該収容量検知センサ２６２からの情報を受けて金種別紙幣収納部２６１内において紙幣が、ニアフル状態なのか、フル状態なのか、ニアエンプティ（ほぼ空）状態なのか、エンプティ（空）状態なのかが紙幣制御部２０２で判断されるようにしてもよい。
【００３６】
各金種別紙幣収納部２６１内に収納されている紙幣の在高情報（紙幣の枚数）や紙幣の収納状態（ニアフル状態なのか、フル状態なのか、ニアエンプティ状態なのか、エンプティ状態なのか）は、硬貨処理装置１００の上位記憶部１５５に送られて当該上位記憶部１５５で記憶されることとなる。
【００３７】
各金種別紙幣収納部２６１は紙幣を例えば１００枚〜２００枚収納することができるようになっている。具体的な例を持ち出して説明すると、金種別紙幣収納部２６１は千円紙幣を２００枚収納することができ、金種別紙幣収納部２６１は五千円紙幣を１００枚収納することができ、金種別紙幣収納部２６１は一万円紙幣を２００枚収納することができるようになっている。ちなみに、オーバーフローした紙幣は、例えば２００枚までであれば回収カセット２３５に収納可能となる。
【００３８】
また、図２に示すように、検知センサ２２５は、出金リジェクト部２３０及び回収カセット２３５の各々に対応するようにも設けられており、当該検知センサ２２５からの情報に基づいて、出金リジェクト部２３０及び回収カセット２３５の各々に収納されている紙幣の枚数も検出できるようになっている。これら出金リジェクト部２３０及び回収カセット２３５の各々に収納されている紙幣の枚数に関する情報も、硬貨処理装置１００の上位記憶部１５５に送られて当該上位記憶部１５５で記憶されてもよい。ちなみに、本実施の形態では、紙幣受入部２１０及び紙幣払出部２９０にも対応して検知センサ２２５が設けられているが、この検知センサ２２５は紙幣受入部２１０で受け入れられた紙幣が当該検知センサ２２５を通過したか、また、紙幣払出部２９０から払い出されるべき紙幣が当該検知センサ２２５を通過したかを検知するために用いられる。
【００３９】
図４に示すように、紙幣処理装置２００の紙幣制御部２０２には、インターフェース２３２、紙幣受入部２１０、紙幣搬送部２２０、出金リジェクト部２３０、紙幣識別部２５０、紙幣収納部２６０、紙幣払出部２９０、収容量検知センサ２６２、検知センサ２２５等がそれぞれ接続されている。そして、紙幣制御部２０２は、紙幣受入部２１０、紙幣搬送部２２０、出金リジェクト部２３０、紙幣識別部２５０、紙幣収納部２６０、紙幣払出部２９０、収容量検知センサ２６２、検知センサ２２５等と信号の送受信を行い、これらを制御するように構成されている。なお、紙幣制御部２０２には、様々な情報を記憶する紙幣記憶部２０５と、カードに記録された情報を読み取るカードリーダ２７０と、紙幣収納部２６０、出金リジェクト部２３０、回収カセット２３５等の所定のユニットをロックしたり、紙幣収納部２６０、出金リジェクト部２３０、回収カセット２３５等の所定のユニットを解錠したりする電磁ロック部２７５も接続されており、これらと信号の送受信を行い、これらを制御するように構成されている。
【００４０】
一例としては、本実施の形態の紙幣処理装置２００における紙幣の入金速度は２．５枚／秒であり、他方、紙幣の出金速度は２．０枚／秒である。また、一例として、紙幣受入部２１０に一度に投入可能な紙幣の枚数は２０枚であり、紙幣払出部２９０で一度に出金可能な紙幣の枚数は１０枚である。
【００４１】
また、本実施の形態の紙幣処理装置２００は自動精査すなわち自動在高確認動作ができるようになっていてもよい。つまり、操作表示部１５２、ＰＯＳ操作部３５２等から実行指示の入力を受けたり所定の設定時刻になったりすることで、紙幣処理装置２００は各金種別紙幣収納部２６１内に収納されている紙幣の計数を開始し、実際の紙幣の在高が紙幣記憶部２０５等に記憶されている紙幣の在高と合致しているかを確認できるようなってもよい。
【００４２】
《硬貨処理装置１００》
次に、本実施の形態の硬貨処理装置１００の構成について説明する。ちなみに、本実施の形態の硬貨処理装置１００は、スーパー、コンビニエンスストア、ショッピングモール、百貨店等の様々な場所で利用され、硬貨の入出金処理を行う硬貨釣銭機となっている。ところで、硬貨処理装置１００としてはこのような硬貨釣銭機には限られることはなく、例えば硬貨入金機、硬貨出金機、券売機、自動販売機等も含まれる。
【００４３】
図４に示すように、本実施の形態の硬貨処理装置１００の上位制御部１０１には、インターフェース１３２と、操作表示部１５２と、物理的なボタン等からなるボタン式操作部１５３と、様々な情報を記憶する上位記憶部１５５が接続されており、これらと信号の送受信を行い、これらを制御するように構成されている。また、硬貨制御部１０２には、後述する、インターフェース１３３、硬貨受入部１１０、入金硬貨搬送部１２０、硬貨識別部１５０、硬貨収納部１６０、振分部１２７，１２９、出金硬貨搬送部１８０、硬貨払出部１９０、硬貨が通過したことを検知する検知センサ１２４，１２５，１６５及び様々な情報を記憶する硬貨記憶部１０５等が接続されている。そして、上位制御部１０１は、操作表示部１５２、ボタン式操作部１５３及び上位記憶部１５５等と信号の送受信を行い、これらを制御するように構成されている。また、硬貨制御部１０２は、硬貨受入部１１０、入金硬貨搬送部１２０、硬貨識別部１５０、硬貨収納部１６０、振分部１２７，１２９、出金硬貨搬送部１８０、硬貨払出部１９０、検知センサ１２４，１２５，１６５及び硬貨記憶部１０５等と信号の送受信を行い、これらを制御するように構成されている。なお、硬貨制御部１０２には、カードに記録された情報を読み取るカードリーダ１７０と、硬貨収納部１６０等の所定のユニットをロックしたり、硬貨収納部１６０等の所定のユニットを解錠したりする電磁ロック部１７５も接続されており、これらと信号の送受信を行い、これらを制御するように構成されている。
【００４４】
本実施の形態の硬貨処理装置１００は、図２に示すように、硬貨筐体１０３と、硬貨を硬貨筐体１０３の外部から入金するための硬貨受入部１１０と、硬貨筐体１０３内に設けられ、硬貨を収納するとともに収納された硬貨を繰り出す硬貨収納部１６０と、硬貨筐体１０３内において、硬貨受入部１１０から投入された硬貨を１枚ずつ硬貨収納部１６０まで入金経路に沿って搬送する入金硬貨搬送部１２０と、入金経路に沿って設けられ、入金硬貨搬送部１２０で搬送される硬貨を識別して計数する硬貨識別部１５０と、を備えている。また、図５に示すように、硬貨筐体１０３の上面には、操作者が操作信号を入力したり操作者に所定の情報を表示したりするための操作表示部１５２が設けられている。本実施の形態の操作表示部１５２はタッチパネルとなっており、操作表示部１５２に直接触れることで、操作者が操作信号を入力することができる。また、図５に示すように、硬貨入金口１１１には開閉自在のシャッター１１５が設けられてもよい。なお、操作表示部１５２は液晶ディスプレイ（ＬＣＤ）等からなってもよい。
【００４５】
図２に示すように、入金経路には、後述する金種別硬貨収納部１６１（つまり金種別硬貨収納部１６１ａ〜１６１ｆ）の各々に対応した検知センサ１２５と、当該検知センサ１２５からの情報を受けて各金種別硬貨収納部１６１に対応する金種の硬貨を振り分ける複数（本実施の形態では６つ）の入金振分部１２７が設けられている。各検知センサ１２５は、対応する金種別硬貨収納部１６１の上流位置に対応して設けられている。
【００４６】
また、図２に示すように、硬貨識別部１５０の下流位置であって硬貨収納部１６０の上流位置には、硬貨識別部１５０で金種等を識別することができなかった硬貨をリジェクト硬貨として振り分けるためのリジェクト振分部１２９が設けられている。本実施の形態では、図２に示すように、リジェクト振分部１２９は、硬貨識別部１５０の下流側であって入金振分部１２７の上流側に位置している。
【００４７】
図２に示すように、リジェクト振分部１２９の直前の上流位置には検知センサ１２４が設けられている。そして、硬貨識別部１５０でリジェクト硬貨であると判断され、かつ、検知センサ１２４から硬貨が到達又は通過した旨の検知情報を受けた段階で、硬貨制御部１０２がリジェクト振分部１２９を開状態とし、リジェクト硬貨をリジェクト振分部１２９で取り込むようにしてもよい。なお、当然、硬貨識別部１５０でリジェクト硬貨であると判断された際にリジェクト振分部１２９を開状態のまま維持し、リジェクト硬貨をリジェクト振分部１２９で取り込む態様も採用することができる。なお、リジェクト振分部１２９が開状態となって当該リジェクト振分部１２９に取り込まれることで、硬貨は入金経路から外れ、リジェクト搬送経路（図示せず）を落下した後、後述する出金硬貨搬送部１８０によって硬貨払出部１９０まで送られることとなる。
【００４８】
図２に示すように、本実施の形態の硬貨処理装置１００は、硬貨収納部１６０から繰り出された硬貨を出金経路に沿って搬送する出金硬貨搬送部１８０と、出金経路に繰り出されて出金硬貨搬送部１８０で搬送された硬貨を出金する硬貨払出部１９０も備えている。
【００４９】
一例としては、本実施の形態の硬貨処理装置１００における硬貨の入金速度は６枚／秒であり、他方、９９９円の硬貨（５００円１枚、１００円４枚、５０円１枚、１０円４枚、５円１枚及び１円４枚）を出金するのに２．７秒かかる。また、一例として、硬貨受入部１１０に一度に投入可能な硬貨の枚数は５０枚であり、硬貨払出部１９０で一度に出金可能な硬貨の枚数は５０枚である。
【００５０】
本実施の形態の硬貨収納部１６０は、金種別に硬貨を収納する複数（本実施の形態では６つ）の金種別硬貨収納部１６１を有しており、各金種別硬貨収納部１６１が水平方向で並列に配置されている。金種別硬貨収納部１６１は、図２の下から順番に、５００円硬貨、１００円硬貨、５０円硬貨、１０円硬貨、５円硬貨及び１円硬貨を収納するようになっている。各金種別硬貨収納部１６１は、対応する硬貨を例えば１００枚〜２００枚程度収納することができる。より具体的な例を持ち出して説明すると、金種別硬貨収納部１６１ａは５００円硬貨を１０５枚収納することができ、金種別硬貨収納部１６１ｂは１００円硬貨を１６０枚収納することができ、金種別硬貨収納部１６１ｃは５０円硬貨を１２０枚収納することができ、金種別硬貨収納部１６１ｄは１０円硬貨を１６０枚収納することができ、金種別硬貨収納部１６１ｅは５円硬貨を１２０枚収納することができ、金種別硬貨収納部１６１ｆは１円硬貨を１６０枚収納することができるようになっている。
【００５１】
なお、金種別硬貨収納部１６１の各々は、硬貨を収納する金種別繰出収納庫と、金種別繰出収納庫内に収納された硬貨を出金経路に繰り出すための繰出部（図示せず）と、繰出部で繰り出される硬貨の枚数を検知する検知センサ１６５（図４参照）と、所定枚数の硬貨が繰り出された際にそれ以上の硬貨が繰り出されないように硬貨の繰り出しをストップさせるためのストッパ（図示せず）と、を有している。
【００５２】
本実施の形態では、硬貨処理装置１００の各金種に関する在高は、対象となる金種別硬貨収納部１６１に収納された硬貨の枚数から当該金種別硬貨収納部１６１から繰り出された硬貨の枚数を差し引くことで算出可能となる。金種別硬貨収納部１６１に収納された硬貨の枚数を算出する際には、具体的には、各金種別硬貨収納部１６１に対応して設けられた入金振分部１２７の上流位置の検知センサ１２５で硬貨の通過が確認されたが当該入金振分部１２７の下流位置の検知センサ１２５で硬貨の通過が確認されなかった場合に、当該入金振分部１２７で硬貨が取り込まれて、当該入金振分部１２７に対応する金種別硬貨収納部１６１に硬貨が収納されたと判断されて算出される。ただし、最も下流側に位置する金種別硬貨収納部１６１ｆに関しては、当該金種別硬貨収納部１６１ｆの直前に位置する検知センサ１２５を通過した硬貨の枚数が当該金種別硬貨収納部１６１ｆに収納された硬貨の枚数となる。他方、各金種別硬貨収納部１６１から繰り出された硬貨の枚数は検知センサ１６５からの情報に基づいて算出される。
【００５３】
なお、金種別硬貨収納部１６１の各々に、金種別硬貨収納部１６１内に収納されている硬貨の残量を検知する収容量検知センサ１６２が設けられてもよい。このような収容量検知センサ１６２が設けられている場合には、当該収容量検知センサ１６２からの情報を受けて金種別硬貨収納部１６１内において硬貨が、ニアフル状態なのか、フル状態なのか、ニアエンプティ状態なのか、エンプティ状態なのかが硬貨制御部１０２や上位制御部１０１で判断されるようにしてもよい。
【００５４】
各金種別硬貨収納部１６１内に収納されている硬貨の在高情報（硬貨の枚数）や硬貨の収納状態（ニアフル状態なのか、フル状態なのか、ニアエンプティ状態なのか、エンプティ状態なのか）は、硬貨処理装置１００の上位記憶部１５５に送られて当該上位記憶部１５５で記憶されることとなる。
【００５５】
また、本実施の形態の硬貨処理装置１００は自動精査すなわち自動在高確認動作ができるようになっていてもよい。つまり、操作表示部１５２、ＰＯＳ操作部３５２等から実行指示の入力を受けたり所定の設定時刻になったりすることで、硬貨処理装置１００は各金種別硬貨収納部１６１内に収納されている硬貨の計数を開始し、実際の硬貨の在高が硬貨記憶部１０５等に記憶されている硬貨の在高と合致しているかを確認できるようなってもよい。精査処理を行う場合には、例えば、対象となっている金種別硬貨収納部１６１から硬貨が繰り出されて出金硬貨搬送部１８０によって硬貨払出部１９０まで送られ、このように硬貨払出部１９０に送られた硬貨を硬貨受入部１１０に投入して、硬貨識別部１５０で各硬貨を識別計数させればよい。
【００５６】
なお、図６に示すような補助収納部１９９を備えた硬貨処理装置１００を採用することもできる。このように補助収納部１９９を備えた硬貨処理装置１００であれば、操作表示部１５２、ＰＯＳ操作部３５２等からの入力を受けず、所定の時間になると自動で精査処理を開始することもできる。この補助収納部１９９は入金経路の下方に配置されており、補助収納部１９９から硬貨を硬貨受入部１１０に繰り出すことができるようになっている。
【００５７】
補助収納部１９９は、出金経路に繰り出された硬貨のうち硬貨出金部１９０で出金されない硬貨を収納するために用いられる。そして、自動精査が行われる際の一例を示すと、硬貨収納部１６０のある金種別硬貨収納部１６１から硬貨が繰り出され（図７の（１）参照）、出金硬貨搬送部１８０で搬送された硬貨が補助収納部１９９内に取り込まれる（図７の（２）参照）。このように補助収納部１９９内に取り込まれた硬貨は、補助収納部１９９から硬貨受入部１１０に送られ（図７の（３）参照）、この硬貨受入部１１０から入金経路に繰り出され（図７の（４）参照）、硬貨識別部１５０で識別された後（図７の（５）参照）、元々繰り出された金種別硬貨収納部１６１に戻される（図７の（６）参照）。
【００５８】
ちなみに、上述したような補助収納部１９９を採用した場合には、ある金種別硬貨収納部１６１がフル状態又はニアフル状態となっており当該ある金種別硬貨収納部１６１に収納することができない硬貨（オーバーフロー硬貨）を当該補助収納部１９９に収納することもでき、例えば７０枚のオーバーフロー硬貨を補助収納部１９９で収納することができる。オーバーフロー処理が行われる際の一例を示すと、まず、硬貨受入部１１０から入金経路に硬貨が繰り出され（図８（ａ）の（１）参照）、硬貨識別部１５０で識別されてフル状態又はニアフル状態の金種の硬貨であると判断されると（図８（ａ）の（２）参照）、図６及び図８に示す入金振分部１２６が開状態となり（図８（ａ）の（３）参照）、当該金種の硬貨は入金振分部１２６で補助収納部１９９内に取り込まれ（図８（ａ）の（４）参照）、補助収納部１９９内に収納される。そして、このようにして補助収納部１９９内に取り込まれたオーバーフロー硬貨を対象となる金種別硬貨収納部１６１に戻すときには、補助収納部１９９から硬貨入金部１１０に硬貨が送られ（図８（ｂ）の（１）参照）、当該硬貨は、この硬貨入金部１１０から入金経路に繰り出され（図８（ｂ）の（２）参照）、硬貨識別部１５０で識別された後（図８（ｂ）の（３）参照）、対応する金種別硬貨収納部１６１に振り分けられる（図８（ｂ）の（４）参照）。
【００５９】
上述した上位記憶部１５５は、特許請求の範囲に記載された「記憶部」に含まれており、在高情報の表示態様を金種情報に紐付けて記憶している。そして、本実施の形態の操作表示部１５２は、特許請求の範囲に記載された「表示部」に含まれており、硬貨記憶部１０５の記憶内容に基づいて在高情報を表示し、ある一つの金種に関する在高情報と別の一つの金種に関する在高情報とを異なる態様で表示するようになっている。
【００６０】
一例としては、通常表示からなる第一表示状態において、ある金種に対する在高情報が操作表示部１５２で表示されない態様を採用することができる。図９に示した態様では、通常表示からなる第一表示状態において、高額金種である１万円、５千円及び千円に関しては、在高を示すバロメータ（又はインジケータ。図９中で四角（□）で示された棒グラフ。）は示されているものの、これら１万円、５千円及び千円の在高枚数は操作表示部１５２で表示されていない。他方、低額金種である５００円、１００円、５０円、１０円、５円及び１円に関しては、在高を示すバロメータだけではなく、これら５００円、１００円、５０円、１０円、５円及び１円の在高枚数（それぞれ、５０枚、８０枚、３５枚、４５枚、３４枚及び４５枚）も操作表示部１５２で表示されている。つまり、図９で示す態様では、通常表示からなる第一表示状態において、ある金種（高額金種）に対する在高情報の「一部」を構成する在高枚数が操作表示部１５２で表示されない態様となっている。なお、図９に示す態様は、別の捉え方とすると、通常表示からなる第一表示状態において、所定額面（図９で示す態様では千円）以上の金種に対する在高情報が当該金種の枚数を含まないようになっている。
【００６１】
なお、このような態様に限られることはなく、図１０に示すように、通常表示からなる第一表示状態において、ある金種（例えば高額金種）に対する在高情報の「全て」が操作表示部１５２で表示されない態様となっていてもよい。図１０に示す態様では、通常表示からなる第一表示状態において、高額金種である１万円、５千円及び千円に関しては、これら１万円、５千円及び千円の在高枚数だけでなく在高を示すバロメータも一切、操作表示部１５２で表示されないようになっている。
【００６２】
また、通常表示からなる第一表示状態において、高額金種に関して操作表示部１５２で表示される情報量は、高額金種よりも低額な低額金種に関して操作表示部１５２で表示される情報量と比較して少なくなっていてもよい。図９で示す態様では、通常表示からなる第一表示状態において、高額金種である１万円、５千円及び千円に関しては、在高を示すバロメータは示されているものの、これら１万円、５千円及び千円の在高枚数は操作表示部１５２で表示されていない。他方、低額金種である５００円、１００円、５０円、１０円、５円及び１円に関しては、在高を示すバロメータだけではなく、これら５００円、１００円、５０円、１０円、５円及び１円の在高枚数も操作表示部１５２で表示されている。したがって、図９で示す態様では、通常表示からなる第一表示状態において、高額金種（すなわち、１万円、５千円及び千円）に関して操作表示部１５２で表示される情報量は、高額金種よりも低額な低額金種（すなわち、５００円、１００円、５０円、１０円、５円及び１円）に関して操作表示部１５２で表示される情報量と比較して少なくなっている。また、図１０で示す態様では、通常表示からなる第一表示状態において、高額金種（すなわち、１万円、５千円及び千円）に関して操作表示部１５２で表示される情報量は「０（ゼロ）」となっているのに対して、高額金種よりも低額な低額金種（すなわち、５００円、１００円、５０円、１０円、５円及び１円）に関して操作表示部１５２で表示される情報量は在高を示すバロメータと低額金種に関する在高枚数となっていることから、高額金種に関して操作表示部１５２で表示される情報量は、高額金種よりも低額な低額金種に関して操作表示部１５２で表示される情報量と比較して少なくなっている。また、図１８で示す態様では、通常表示からなる第一表示状態において、高額金種（すなわち、１万円、５千円及び千円）に関して操作表示部１５２で表示される情報量は在高枚数のみとなっているのに対して、高額金種よりも低額な低額金種（すなわち、５００円、１００円、５０円、１０円、５円及び１円）に関して操作表示部１５２で表示される情報量は在高を示すバロメータと低額金種に関する在高枚数となっていることから、高額金種に関して操作表示部１５２で表示される情報量は、高額金種よりも低額な低額金種に関して操作表示部１５２で表示される情報量と比較して少なくなっている。
【００６３】
ところで、上記では、操作表示部１５２で表示される高額金種の情報量と操作表示部１５２で表示される低額金種の情報量とが異なるものとして説明したが、これに限られることはなく、任意のある金種に関して操作表示部１５２で表示される情報量が、当該ある金種以外の他の金種に関して操作表示部１５２で表示される情報量と比較して少なくすることができる。例えば、入出金量が少ない金種の在高情報を操作表示部１５２で表示しないようにしてもよいし、入出金量が少ない金種に関して操作表示部１５２で表示される情報量がその他の金種に関して操作表示部１５２で表示される情報量よりも少なくなっていてもよいし、入出金量が少ない金種に対する在高情報が当該金種の枚数を含まないようになっていてもよい。
【００６４】
また、ある金種に対する在高情報の表示態様は、当該ある金種の在高に応じて切り替えられるようになっていてもよい。より具体的には、ある金種に対する在高情報の表示態様は、当該ある金種の在高が第一閾値未満の場合には通常表示からなる第一表示状態となり、当該ある金種の在高が第一閾値以上の場合には過剰表示からなる第二表示状態となってもよい。また、ある金種に対する在高情報の表示態様は、当該ある金種の在高が第二閾値より大きい場合には通常表示からなる第一表示状態となり、当該ある金種の在高が第二閾値以下の場合には不足表示からなる第三表示状態となってもよい。ちなみに、第一閾値＞第二閾値となっている。
【００６５】
より詳細には、ある金種（例えば１万円、５千円及び千円といった高額金種）に対する在高情報の表示態様は、当該ある金種の在高が第一閾値未満であって第二閾値より大きい場合には通常表示からなる第一表示状態となり、図９に示すように、高額金種である１万円、５千円及び千円に関しては、在高を示すバロメータは示されているものの、これら１万円、５千円及び千円の在高枚数は操作表示部１５２で表示されていないが、他方、低額金種である５００円、１００円、５０円、１０円、５円及び１円に関しては、在高を示すバロメータだけではなく、これら５００円、１００円、５０円、１０円、５円及び１円の在高枚数も操作表示部１５２で表示される態様を採用することができる。また、別の例としては、ある金種（例えば高額金種）に対する在高情報の表示態様は、当該ある金種の在高が第一閾値未満であって第二閾値より大きい場合には通常表示からなる第一表示状態となり、ある金種（例えば高額金種）に対する在高情報の全てが操作表示部１５２で表示されない態様となり、例えば、図１０に示すように、高額金種に関しては在高枚数だけでなく在高を示すバロメータも一切、操作表示部１５２で表示されなくてもよい。さらに別のとしては、ある金種（例えば高額金種）に対する在高情報の表示態様は、当該ある金種の在高が第一閾値未満であって第二閾値より大きい場合には通常表示からなる第一表示状態となり、高額金種に関して操作表示部１５２で表示される情報量は、高額金種よりも低額な低額金種に関して操作表示部１５２で表示される情報量と比較して少なくなっていてもよい。この際の例としては、図９、図１０及び図１８に示す態様を挙げることができる。
【００６６】
他方、ある金種（例えば１万円、５千円及び千円といった高額金種）に対する在高情報の表示態様は、当該ある金種の在高が第一閾値以上となった場合には、過剰表示からなる第二表示状態となり、図１１に示すように、当該ある金種（図１１では千円）の在高に関して在高を示すバロメータ及び在高枚数の両方が表示されるようになってもよいし、在高を示すバロメータの代わりに在高枚数が表示（又は拡大表示）されるようになってもよい。また、第一表示状態において、高額金種に関しては在高枚数だけでなく在高を示すバロメータも一切、操作表示部１５２で表示されていない場合には（図１０参照）、段階的に表示態様が変わってもよく、例えばある金種（図１２では一万円）の在高が第一閾値以上となりニアフルの段階では在高を示すバロメータのみが表示され、当該ある金種（図１３では一万円）の在高が第三閾値（第三閾値＞第一閾値）以上となり例えばフルより１０枚程度少ないだけの段階では在高を示すバロメータと在高枚数の両方が表示されるようになってもよいし、在高を示すバロメータの代わりに在高枚数が表示（又は拡大表示）されるようになってもよい。
【００６７】
また、同様に、ある金種（例えば１万円、５千円及び千円といった高額金種）に対する在高情報の表示態様は、当該ある金種（図１４では千円）の在高が第二閾値以下となった場合には、不足表示からなる第三表示状態となり、当該ある金種の在高に関して在高を示すバロメータ及び在高枚数の両方が表示されるようになってもよいし、在高を示すバロメータの代わりに在高枚数が表示（又は拡大表示）されるようになってもよい。また、第一表示状態において、高額金種に関しては在高枚数だけでなく在高を示すバロメータも一切、操作表示部１５２で表示されていない場合には（図１０参照）、段階的に表示態様が変わってもよく、例えばある金種（図１５では千円）の在高が第二閾値以下となりニアエンプティの段階では在高を示すバロメータのみが表示され、当該ある金種（図１６では千円）の在高が第四閾値（第四閾値＜第二閾値）以下となり例えば在高が１０枚程度の段階では在高を示すバロメータと在高枚数の両方が表示されるようになってもよいし、在高を示すバロメータの代わりに在高枚数が表示（又は拡大表示）されるようになってもよい。
【００６８】
また、ある金種に対する在高情報の表示態様は、貨幣を回収する回収モード又は貨幣を補充する補充モードとなっている場合には第四表示状態となり（図１７参照）、貨幣の入金処理や出金処理といった貨幣を通常に処理する通常モードとなっている場合には通常表示からなる第一表示状態となってもよい（図９、図１０及び図１８参照）。
【００６９】
より具体的には、貨幣の入金処理や出金処理といった貨幣を通常に処理する通常モードとなっている場合には、第一表示状態となり、ある金種に対する在高情報の「一部」又は「全部」が操作表示部１５２で表示されない態様とすることができる。一例を示すならば、通常モードとなっている場合には第一表示状態となり、図９に示すように、ある金種（例えば高額金種）に関しては、在高を示すバロメータのみが示され、他方、その他の金種（例えば低額金種）に関しては、在高を示すバロメータと在高枚数の両方が操作表示部１５２で表示される態様を採用することができる。また、別の例としては、通常モードとなっている場合には第一表示状態となり、図１０に示すように、ある金種（例えば高額金種）に対する在高情報の全てが操作表示部１５２で表示されない態様となり、他方、その他の金種（例えば低額金種）に関しては、在高を示すバロメータと在高枚数の両方が操作表示部１５２で表示される態様を採用することができる。さらに別のとしては、通常モードとなっている場合には第一表示状態となり、図９、図１０及び図１８に示すように、高額金種に関して操作表示部１５２で表示される情報量は、高額金種よりも低額な低額金種に関して操作表示部１５２で表示される情報量と比較して少なくなっていてもよい。
【００７０】
他方、貨幣を回収する回収モード又は貨幣を補充する補充モードとなっている場合には第四表示状態となり、例えば、全金種に対する在高情報が操作表示部１５２で表示されることとなる（図１７参照）。より具体的には、貨幣の入金処理や出金処理といった貨幣を通常に処理する通常モードとなっている場合には、第一表示状態となり、高額金種に関して在高を示すバロメータは示されているものの高額金種の在高枚数は操作表示部１５２で表示されていない場合や（図９参照）、高額金種に関して在高情報の全てが操作表示部１５２で表示されない場合や（図１０参照）、高額金種に関して操作表示部１５２で表示される情報量が低額金種に関して操作表示部１５２で表示される情報量と比較して少なくなっている場合であっても（図９、図１０及び図１８参照）、貨幣を回収する回収モード又は貨幣を補充する補充モードとなっている場合には第四表示状態となり（図１７参照）、高額金種の在高情報の全て、より具体的に、高額金種に関しても在高を示すバロメータ及び在高枚数の両方が表示されるようになり、その結果、高額金種に関して操作表示部１５２で表示される情報量が低額金種に関して操作表示部１５２で表示される情報量と同じ情報量となってもよい。操作者は、この表示を見て、補充や回収の要否を判断したり、補充作業や回収作業の進捗状況を確認したりすることができる。
【００７１】
また、本実施の形態では、上位記憶部１５５に記憶された在高情報に対する複数の表示態様の中から、ある金種に対する在高情報の表示態様を切り替え表示可能となっている。より具体的には、通常表示からなる第一表示状態、過剰表示からなる第二表示状態、不足表示からなる第三表示状態並びに回収モード及び補充モードにおいて表示される第四表示状態の各々において、各金種の在高情報について、在高を示すバロメータ及び在高枚数の両方を表示しないのか（図１０の千円以上の金種を参照）、在高を示すバロメータ及び在高枚数の一方のみを表示するのか（図９及び図１８の千円以上の金種を参照）、又は、在高を示すバロメータ及び在高枚数の両方を表示するのか（図９、図１０及び図１８の５００円以下の金種を参照）を、操作表示部１５２やＰＯＳ操作部３５２から入力して選択できるようにしてもよい。なお、本実施の形態の操作表示部１５２及びＰＯＳ操作部３５２は、特許請求の範囲に記載された「操作部」に含まれている。
【００７２】
ところで、ある金種に対する在高情報の表示態様は、過剰表示からなる第二表示状態、不足表示からなる第三表示状態又は回収モード及び補充モードにおいて表示される第四表示状態となった場合でも、所定の時間が経過するか又は操作表示部１５２やＰＯＳ操作部３５２からの入力を受けて通常表示からなる第一表示状態に戻るようになってもよい。なお、ある金種の在高が過剰状態でなくなったり不足状態でなくなったりした場合には、当該ある金種の在高は通常表示である第一表示状態で表示されることとなる。
【００７３】
また、本実施の形態による貨幣処理装置は、表示態様が切り替えられる在高の値を例えば金種毎に変更するための変更モードに切替可能となっていてもよい。この場合には、上位制御部１０１等の処理モードを変更モードに切り替えることで、操作表示部１５２における表示が過剰表示からなる第二表示状態に切り替えられる第一閾値の値を各金種に対して設定することができ、また、操作表示部１５２における表示が不足表示からなる第三表示状態に切り替えられる第二閾値の値を各金種に対して設定することができる。また、上述した第三閾値の値も各金種に対して設定することができるようになってもよく、また、上述した第四閾値の値も各金種に対して設定することができるようになってもよい。
【００７４】
ところで、後述するＰＯＳレジスタ３００のＰＯＳ表示部３５１や図示していないが外付けの表示部は、特許請求の範囲に記載された「表示部」に含まれる。上記では、操作表示部１５２における表示態様を中心に説明してきたが、これらＰＯＳレジスタ３００のＰＯＳ表示部３５１や外付けの表示部についても、操作表示部１５２について説明してきた内容と同様の表示態様を採用することができる。
【００７５】
また、上記では上位記憶部１５５が在高情報の表示態様を金種情報に紐付けて記憶しているとして説明したが、これに限られることはない。例えば、硬貨記憶部１０５が在高情報の表示態様を金種情報に紐付けて記憶していてもよいし、紙幣記憶部２０５が在高情報の表示態様を金種情報に紐付けて記憶していてもよいし、ＰＯＳ記憶部３０５が在高情報の表示態様を金種情報に紐付けて記憶していてもよいし、さらには、図示していないが外付けの記憶部が在高情報の表示態様を金種情報に紐付けて記憶していてもよい。そして、このように在高情報の表示態様を金種情報に紐付けて記憶しているものは、特許請求の範囲に記載された「記憶部」に含まれることとなる。
【００７６】
《棒金管理機５００》
次に、本実施の形態の棒金管理機５００について説明する。
【００７７】
図２に示すように、本実施の形態の棒金管理機５００は、棒金筐体５０３と、棒金筐体５０３に対して引き出し自在に設けられ、棒金を１本ずつ収納する棒金収納部５２０を複数個有する棒金ドロア５０６と、を備えている。なお、この棒金ドロア５０６内には、棒金以外にもバラ硬貨、紙幣、商品券等も収納することができる補助収納領域５３０が設けられていてもよい。
【００７８】
また、棒金ドロア５０６と棒金筐体５０３との間には、棒金制御部５０２に接続されたロータリエンコーダ（変位検出手段）（図示せず）が設けられており、棒金ドロア５０６の棒金筐体５０３に対する位置を検知することができるようになっている。そして、センサとロータリエンコーダ（変位検出手段）によって、棒金の直径を検知することで、棒金の有無を検知するだけでなく、棒金の金種の判定することができるようになっており、これらセンサとロータリエンコーダ（変位検出手段）によって、棒金検知部５８０（図４参照）が構成されている。ちなみに、本実施の形態では、棒金ドロア５０６の底面にスリット５２５が形成されており（図２参照）、このスリット５２５をセンサからの光が透過することで、棒金の直径や棒金の有無を検知することができるようになっている。なお、棒金収納部５２０内の棒金の有無及び金種を検知する手段としては、この方式に限定されず、各棒金収納部５２０に有無や金種（材質）を検知するセンサを配置してもよい。また、棒金筐体５０３には、棒金ドロア５０６を棒金筐体５０３に対して閉鎖位置に固定するロック部５６０（図４参照）が設けられている。また、本実施の形態の棒金管理機５００は、棒金筐体５０３に対して棒金ドロア５０６が開状態になっているか閉状態になっているかを検知する開閉検知部５７０（図４参照）も備えている。
【００７９】
図４に示すように、棒金管理機５００の棒金制御部５０２には、インターフェース５３２、棒金検知部５８０、開閉検知部５７０、ロック部５６０等がそれぞれ接続されている。そして、棒金制御部５０２は、棒金検知部５８０、開閉検知部５７０、ロック部５６０等と信号の送受信を行い、これらを制御するように構成されている。なお、棒金制御部５０２には、様々な情報を記憶する棒金記憶部５０５も接続されている。ちなみに、棒金ドロア５０６の棒金収納部５２０に収納されている棒金の在高情報（棒金の本数）は、硬貨処理装置１００の上位記憶部１５５に送られて当該上位記憶部１５５で記憶されることとなる。
【００８０】
《ＰＯＳレジスタ３００》
次に、本実施の形態のＰＯＳレジスタ３００の構成について説明する。ＰＯＳレジスタ３００は、商品の購入情報を登録するとともに、硬貨処理装置１００や紙幣処理装置２００に対して指令を入力して、硬貨や紙幣の入金処理、出金処理、精査処理、回収処理等を行わせるようになっている。
【００８１】
図４に示すように、ＰＯＳレジスタ３００のＰＯＳ制御部３０２は、硬貨処理装置１００の上位制御部１０１に通信接続されるとともに、サーバ４００にも通信接続されている。そして、このＰＯＳ制御部３０２は、硬貨処理装置１００の上位制御部１０１を介して硬貨制御部１０２、紙幣制御部２０２及び棒金制御部５０２に指令を送り、この結果、硬貨処理装置１００に対して硬貨の入金処理、出金処理、精査処理、回収処理等を行わせ、紙幣処理装置２００に対して紙幣の入金処理、出金処理、精査処理、回収処理等を行わせ、棒金管理機５００の棒金ドロア５０６のロックを解除させたりするようになっている。また、ＰＯＳ制御部３０２は、硬貨制御部１０２、紙幣制御部２０２及び棒金制御部５０２から、上位制御部１０１を介して、硬貨処理装置１００、紙幣処理装置２００及び棒金制御部５０２における硬貨、紙幣及び棒金の処理状況や在高に係る情報を受け取るようになっている。
【００８２】
図１に示すように、ＰＯＳレジスタ３００は、店員等の操作者が操作することのできるＰＯＳ操作部３５２と、商品の取引状況、硬貨処理装置１００における硬貨の処理状況、紙幣処理装置２００における紙幣の処理状況、硬貨処理装置１００の内部に収納された硬貨の在高、紙幣処理装置２００の内部に収納された紙幣の在高、棒金管理機５００の内部に収納された棒金の在高等を表示するＰＯＳ表示部３５１と、を備えている。そして、操作者は、ＰＯＳ操作部３５２を介してＰＯＳ制御部３０２（図５参照）に対して様々な指令を与えることができるようになっている。なお、上述したＰＯＳ表示部３５１には、購入客に対して商品の購入代金を示したりするための購入客用表示部３５１ａ（図１参照）が含まれている。
【００８３】
図４に示すように、ＰＯＳレジスタ３００のＰＯＳ制御部３０２は、インターフェース３３２を介して、硬貨処理装置１００の上位制御部１０１やサーバ４００に対して信号の送受信を行うようになっている。また、ＰＯＳ記憶部３０５には、硬貨処理装置１００における硬貨の処理状況、硬貨処理装置１００の内部に収納された硬貨の在高、紙幣処理装置２００における紙幣の処理状況、紙幣処理装置２００の内部に収納された紙幣の在高、棒金管理機５００の内部に収納された棒金の在高等の様々な情報が記憶されるようになっている。
【００８４】
なお、ＰＯＳレジスタ３００は、クレジットカード等の各種カードを読み取るカードリーダ３６０と、プリンタ等からなる印字部３７０も有している。なお、ＰＯＳ表示部３５１で表示されるあらゆる情報やＰＯＳ記憶部３０５で記憶されているあらゆる情報は、当該印字部３７０で印字することができるようになっている。
【００８５】
図４に示すように、ＰＯＳレジスタ３００のＰＯＳ制御部３０２には、カードリーダ３６０、プリンタ等からなる印字部３７０、ＰＯＳ表示部３５１、ＰＯＳ操作部３５２、ＰＯＳ記憶部３０５、インターフェース３３２等がそれぞれ接続されている。そして、ＰＯＳ制御部３０２は、カードリーダ３６０、印字部３７０、ＰＯＳ表示部３５１、ＰＯＳ操作部３５２、ＰＯＳ記憶部３０５等と信号の送受信を行い、これらを制御するように構成されている。
【００８６】
《方法》
次に、本実施の形態の貨幣処理装置及び／又は貨幣処理システムにおいて、貨幣処理装置内の在高を表示する在高表示方法について説明する。なお、以下では、操作表示部１５２、ＰＯＳ表示部３５１及び外付けの表示部（図示せず）の少なくとも１つ以上を示す用語として「表示部４０」を用いて説明する。また、上位記憶部１５５、硬貨記憶部１０５、紙幣記憶部２０５、棒金記憶部５０５、ＰＯＳ記憶部３０５及び外付けの記憶部（図示せず）の少なくとも１つ以上を示す用語として「記憶部６０」を用いて説明する。また、操作表示部１５２、ＰＯＳ操作部３５２及びボタン式操作部１５３の少なくとも１つ以上を示す用語として「操作部５０」を用いて説明する。
【００８７】
本実施の形態の貨幣処理装置及び／又は貨幣処理システムにおいて貨幣処理装置内の在高を表示する場合には、まず、記憶部６０からその記憶内容が読み出される。より具体的には、記憶部６０から、金種情報に紐付けられた在高情報の表示態様が読み出される。この記憶部６０で記憶されている情報は、既に説明したとおりであることから、ここでは簡単に説明するに留める。
【００８８】
記憶部６０に記憶されている情報としては、一態様として、通常表示からなる第一表示状態において、ある金種（例えば高額金種や入出金量の少ない金種）に対する在高情報の一部又は全部を表示部４０に表示しないようになっている（図９及び図１０参照）。また、別の態様として、通常表示からなる第一表示状態において、ある金種（例えば高額金種や入出金量の少ない金種）に関して表示部４０で表示される情報量は、当該ある金種以外の他の金種に関して表示部４０で表示される情報量と比較して少なくなっている（図９、図１０及び図１８参照）。
【００８９】
そして、記憶部６０から読み出された記憶内容に基づいて、表示部４０によって在高情報が表示される結果、ある一つの金種に関する在高情報と別の一つの金種に関する在高情報とを異なる態様で表示されることとなる（図９、図１０及び図１８参照）。
【００９０】
在高に応じて表示態様が切り替えられることが記憶部６０に記憶されていてもよく、ある金種（例えば高額金種や入出金量の少ない金種）に対する在高情報の表示態様が、当該ある金種の在高が第一閾値未満の場合には通常表示からなる第一表示状態となり（図９、図１０及び図１８参照）、当該ある金種の在高が第一閾値以上の場合には過剰表示からなる第二表示状態となる（図１１乃至図１３参照）ことが記憶部６０に記憶されていてもよい。また、ある金種に対する在高情報の表示態様が、当該ある金種の在高が第二閾値より大きい場合には通常表示からなる第一表示状態となり（図９、図１０及び図１８参照）、当該ある金種の在高が第二閾値以下の場合には不足表示からなる第三表示状態となる（図１４乃至図１６参照）ことが記憶部６０に記憶されていてもよい。
【００９１】
また、モードに応じて表示態様が切り替えられることが記憶部６０に記憶されていてもよく、ある金種（例えば高額金種）に対する在高情報の表示態様は、貨幣を回収する回収モード又は貨幣を補充する補充モードとなっている場合には第四表示状態となり（図１７参照）、貨幣の入金処理や出金処理といった貨幣を通常に処理する通常モードとなっている場合には通常表示からなる第一表示状態となる（図９、図１０及び図１８参照）ことが記憶部６０に記憶されていてもよい。
【００９２】
上述したように記憶部６０から読み出された記憶内容に基づいて表示部４０によって在高情報が表示されこととなる結果、ある金種に関して在高に応じて表示態様が切り替えられたり、モードに応じてある金種の表示態様が切り替えられたりすることとなる。
【００９３】
なお、過剰表示からなる第二表示状態、不足表示からなる第三表示状態又は回収モード及び補充モードにおいて表示される第四表示状態となる態様を採用した場合には、所定の時間が経過するか又は操作部５０からの入力を受けて、表示部４０における表示態様が通常表示からなる第一表示状態に戻るようになってもよい。
【００９４】
《効果》
次に、上述した構成からなる本実施の形態によって達成される効果であって、まだ述べていない効果又はとりわけ重要な効果について説明する。
【００９５】
本実施の形態では、表示部４０が、在高情報の表示態様を金種情報に紐付けて記憶した記憶部６０の記憶内容に基づいて在高情報を表示し、ある一つの金種に関する在高情報と別の一つの金種に関する在高情報とを異なる態様で表示する。このため、表示部４０で全金種の在高情報が画一的に表示されることによる不都合を解消することができる。
【００９６】
例を挙げるとすると、通常表示からなる第一表示状態において、ある金種に対する在高情報が表示部４０で表示されない態様を採用した場合には、当該ある金種の在高を購入客等の第三者が認識できないようにすることができる。この際、ある金種に対する在高情報の「全て」が表示部４０で表示されない態様を採用した場合には（図１０参照）、当該ある金種の在高を購入客等の第三者が全く認識できないようにすることができる。より具体的な例を用いて説明すると、図１０に示すように、例えば通常表示からなる第一表示状態において高額金種に関して在高枚数だけでなく在高を示すバロメータも一切、表示部４０で表示されないようにし、他方、低額金種に関して在高枚数と在高を示すバロメータの両方を示すようにすることが考えられる。このような態様を採用することで、低額金種に関しては、在高を示すバロメータで直感的に在高を確認することができるだけではなくその具体的な枚数を操作者及び第三者が把握することができるのに対して、１万円、５千円及び千円の在高を操作者及び購入客等の第三者が全く認識できないようにすることができる。したがって、ある金種（図１０に示す態様では高額金種）に関して、購入客等の第三者がある金種の在高情報を把握することができなくなり、その結果、セキュリティ性を向上させることができる。また、このような態様を採用することで、第一表示状態において在高情報が表示されている金種の在高を目立たせることができ、操作者が当該金種に関する補充の必要性や回収の必要性をいち早く気づくことができる。
【００９７】
なお、操作者がこれらの金種の在高を全く把握できないことは問題になりえることから、これらの金種の在高が第一閾値以上となり過剰な状態となった場合や在高が第二閾値以下となり不足した状態となった場合には、警告ランプ６０１（図４参照）が点灯・点滅したり、警告アラーム６０２（図４参照）が鳴ったり、表示部４０でその旨が報知されたりしてもよい。また、これらの金種の在高が第一閾値以上となり過剰な状態となった場合には表示部４０での表示態様が第二表示状態となったり、これらの金種の在高が第二閾値以下となり不足な状態となった場合には表示部４０での表示態様が第三表示状態となったりする態様を採用することもできる。なお、上述した警告ランプ６０１及び警告アラーム６０２は図４に示す警告部６００に含まれている。この警告部６００は図４に示すように貨幣処理装置とは別体に設けられてもよいが、貨幣処理装置に組み込まれていてもよい。
【００９８】
ある金種に対する在高情報の「一部」が表示部４０で表示されない態様を採用した場合には（図９及び図１８参照）、当該ある金種の在高を購入客等の第三者が認識しづらくすることができるのに対して、操作者は当該ある金種の在高をある程度把握することができ、貨幣を補充する必要があるタイミングや貨幣を回収する必要があるタイミングをある程度把握することができる。また、このような態様を採用することで、第一表示状態において在高情報の全てが表示されている金種の在高を目立たせることができ、操作者が当該金種に関する補充の必要性や回収の必要性をいち早く気づくことができる。ところで、ある金種の在高を購入客等の第三者が認識しづらくするという意味で言うと、図１８に示す態様のように、ある金種の在高を示すバロメータが表示されずある金種の在高枚数のみが表示される態様よりも、図９に示す態様のように、ある金種の在高枚数が表示されずある金種の在高を示すバロメータのみが表示される態様の方が好ましい。
【００９９】
また、図９、図１０及び図１８に示すように、通常表示からなる第一表示状態において、ある金種に関して表示部４０で表示される情報量が、当該ある金種以外の他の金種に関して表示部４０で表示される情報量と比較して少なくなる態様を採用した場合には、当該ある金種の在高を購入客等の第三者が認識しづらくすることができる。また、このような態様を採用することで、情報量の多い金種の在高を目立たせることができ、操作者が当該金種に関する補充の必要性や回収の必要性をいち早く気づくことができる。ちなみに、１００円均一ショップ等の取引単価が低い店舗では硬貨の入出金量が多く紙幣の入出金量が少ないことから、紙幣の在高を継続的に認識する必要性は低い。このため、このように取引単価が低い店舗では、図９、図１０及び図１８に示すように、第一表示状態において、硬貨の情報量が紙幣の情報量よりも多くなっている態様を採用することが考えられる。このような態様を採用することで、入出金量が多い硬貨の在高の過不足を目立たせることができ、操作者が硬貨に関する補充の必要性や回収の必要性をいち早く気づくことができる。
【０１００】
また、通常表示からなる第一表示状態において、ある金種（例えば所定額面以上の金種）に関する表示部４０で表示される在高情報は当該金種の枚数を含まない態様を採用することもできる。この場合には、ある金種（例えば所定額面以上の金種）からなる貨幣の在高情報を一目見ただけでは購入客は把握することができないこととなる。そして、このようにある金種（例えば所定額面以上の金種）に対する在高情報は当該金種の枚数を含まない場合において、ある金種（例えば所定額面以上の金種）に対する在高情報が在高を示すバロメータを含む場合には、操作者はある金種（例えば所定額面以上の金種）の在高をある程度把握することができる。より具体的な例を用いて説明すると、図９に示すように、通常表示からなる第一表示状態において、高額金種に関しては在高を示すバロメータは示されているものの在高枚数は表示部４０で表示されないが、低額金種に関しては在高を示すバロメータと在高枚数の両方が表示部４０で表示されるようにすることができる。このような態様を採用することで、低額金種に関しては、在高を示すバロメータで直感的に在高を確認することができるだけではなくその具体的な枚数を操作者及び第三者が把握することができるのに対して、高額金種の在高はバロメータで把握されることとなる。この点、操作者は貨幣処理装置の取り扱いに従事していることから、在高を示すバロメータの意味するところを容易に把握することができるのに対して、購入客等の第三者は在高を示すバロメータの意味するところを容易には把握することができない。したがって、購入客等の第三者がある金種（例えば所定額面以上の金種）の在高情報を把握することが困難となり、その結果、セキュリティ性を向上させることができる。
【０１０１】
このような態様でも、ある金種（例えば所定額面以上の金種）の在高が第一閾値以上となり過剰な状態となった場合やある金種の在高が第二閾値以下となり不足した状態となった場合には、警告ランプ６０１が点灯・点滅したり、警告アラーム６０２が鳴ったり、表示部４０でその旨が報知されたりしてもよい。また、ある金種（例えば所定額面以上の金種）の在高が第一閾値以上となり過剰な状態となった場合には表示部４０での表示態様が第二表示状態となったり、ある金種の在高が第二閾値以下となり不足な状態となった場合には表示部４０での表示態様が第三表示状態となったりする態様を採用することもできる。
【０１０２】
ところで、例えば飲食店等のように所定の低額金種（例えば１円や５円）の入出金量が少ない店舗では、このような所定の低額金種の在高を継続的に認識する必要性は低い。このように所定の低額金種（例えば１円や５円）の入出金量が少ない店舗では、ある金種として低額金種（例えば１円や５円）を選択し、図１９及び図２０で示すように、低額金種（例えば１円や５円）に対する在高情報の「全て」又は「一部」が表示部４０で表示されないようにすればよい。このような態様を採用することで、「所定の低額金種」以外の金種の在高の過不足を目立たせることができ、操作者が「所定の低額金種」以外の金種に関する補充の必要性や回収の必要性をいち早く気づくことができる。
【０１０３】
また、ある金種に対する在高情報の表示態様が、当該ある金種の在高に応じて切り替えられる態様を採用した場合には、在高に応じた状況を操作者に把握させることができる。ちなみに、この態様においては「ある金種」以外の金種については、在高に応じて表示態様が変わらないこととなる。
【０１０４】
具体的な例を用いて説明すると、ある金種に対する在高情報の表示態様が、当該ある金種の在高が第一閾値未満の場合には通常表示からなる第一表示状態となり（図９の千円以上の金種を参照）、当該ある金種の在高が第一閾値以上の場合には過剰表示からなる第二表示状態となる態様を採用した場合には（図１１の千円を参照）、ある金種の在高が過剰な状態となり、例えば回収処理を行う必要があることを操作者に注意喚起することができる。
【０１０５】
さらに具体的には、ある金種（例えば高額金種や入出金量の少ない金種）に関して第一表示状態においては在高を示すバロメータ及び在高枚数の両方が表示部４０で表示されていないが（図１０の千円以上の金種を参照）、当該ある金種に関して第二表示状態においては在高を示すバロメータ及び在高枚数の両方（図１３の一万円参照）又はいずれか一方が表示部４０で表示される態様を採用した場合（図１２の一万円参照）や、ある金種（例えば高額金種や入出金量の少ない金種）に関して第一表示状態においては在高を示すバロメータ及び在高枚数の両方又はいずれか一方が表示部４０で表示されていないが（図１０及び図９の千円以上の金種を参照）、当該ある金種に関して第二表示状態においては在高を示すバロメータ及び在高枚数の両方が表示部４０で表示される態様を採用した場合には（図１３の一万円参照）、当該ある金種の在高が過剰な状態になった時点で、当該ある金種の在高を詳細に操作者が把握することができることになる。この結果、回収処理等を行う必要があることを早いタイミングで気づくことができる。なお、ある金種（例えば高額金種や入出金量の少ない金種）に関して第一表示状態においては在高を示すバロメータしか表示されていないが（図９の千円以上の金種を参照）、当該ある金種に関して第二表示状態においては在高を示すバロメータの代わりに在高枚数が表示部４０で表示される態様を採用することもでき、この場合にも回収処理等を行う必要があることを早いタイミングで気づかせることができる。
【０１０６】
ちなみに、ある金種（例えば高額金種や入出金量の少ない金種）の表示態様が段階的に変わる態様を採用することもでき、例えばある金種の在高が第一閾値以上となりニアフルの段階では在高を示すバロメータのみが表示され（図１２の一万円参照）、当該ある金種の在高が第三閾値（第三閾値＞第一閾値）以上となり例えばフルより１０枚程度少ないだけの段階では在高を示すバロメータと在高枚数の両方が表示される（図１３の一万円参照）か、在高を示すバロメータの代わりに在高枚数が表示部４０で表示されるようになってもよい。このような態様によれば、回収処理等を行う必要があるタイミングを操作者に段階的に報知することができる。また、このような態様の代わりに又はこのような態様に加えて、当該ある金種の在高が第三閾値（第三閾値＞第一閾値）以上となったときには、警告ランプ６０１が点灯・点滅したり、警告アラーム６０２が鳴ったり、表示部４０でその旨が報知されたりしてもよい。これらの態様を採用することで、回収処理等を行う必要があることを操作者により確実に気づかせることができる。
【０１０７】
また、ある金種に対する在高情報の表示態様は、当該ある金種の在高が第二閾値より大きい場合には通常表示からなる第一表示状態となり（図９の千円以上の金種を参照）、当該ある金種の在高が第二閾値以下の場合には不足表示からなる第三表示状態となる態様を採用した場合には（図１４の千円を参照）、ある金種の在高が不足した状態となり、例えば補充処理を行う必要があることを操作者に注意喚起することができる。
【０１０８】
そして、ある金種（例えば高額金種や入出金量の少ない金種）に関して第一表示状態においては在高を示すバロメータ及び在高枚数の両方が表示部４０で表示されていないが（図１０の千円以上の金種を参照）、当該ある金種に関して第三表示状態においては在高を示すバロメータ及び在高枚数の両方（図１６の千円参照）又はいずれか一方が表示部４０で表示される態様を採用した場合（図１５の千円参照）や、ある金種（例えば高額金種や入出金量の少ない金種）に関して第一表示状態においては在高を示すバロメータ及び在高枚数の両方又はいずれか一方が表示部４０で表示されていないが（図１０及び図９の千円以上の金種を参照）、当該ある金種に関して第三表示状態においては在高を示すバロメータ及び在高枚数の両方が表示部４０で表示される態様を採用した場合には（図１６の千円参照）、当該ある金種の在高が不足した状態になった時点で、当該ある金種の在高を詳細に操作者が把握することができることになる。この結果、補充処理等を行う必要があることを早いタイミングで気づくことができる。なお、ある金種（例えば高額金種や入出金量の少ない金種）に関して第一表示状態においては在高を示すバロメータしか表示されていないが（図９の千円以上の金種を参照）、当該ある金種に関して第三表示状態においては在高を示すバロメータの代わりに在高枚数が表示部４０で表示される態様を採用することもでき、この場合にも補充処理等を行う必要があることを早いタイミングで気づかせることができる。
【０１０９】
ちなみに、ある金種（例えば高額金種や入出金量の少ない金種）の表示態様が段階的に変わってもよく、例えばある金種の在高が第二閾値以下となりニアエンプティの段階では在高を示すバロメータのみが表示され（図１５の千円参照）、当該ある金種の在高が第四閾値（第四閾値＜第二閾値）以下となり例えば在高が１０枚程度の段階では在高を示すバロメータと在高枚数の両方が表示される（図１６の千円参照）か、在高を示すバロメータの代わりに在高枚数が表示部４０で表示されるようになってもよい。このような態様によれば、補充処理等を行う必要があるタイミングを操作者に段階的に報知することができる。また、このような態様の代わりに又はこのような態様に加えて、当該ある金種の在高が第四閾値（第四閾値＜第二閾値）以下となったときには、警告ランプ６０１が点灯・点滅したり、警告アラーム６０２が鳴ったり、表示部４０でその旨が報知されたりしてもよい。これらの態様を採用することで、補充処理等を行う必要があることを操作者により確実に気づかせることができる。
【０１１０】
なお、ある金種の在高が第一閾値以上となりニアフルとなった場合や、ある金種の在高が第二閾値以下となりニアエンプティとなった場合には、当該ある金種を点灯・点滅したり強調色（例えば赤色）で表示したりして、当該金種を強調表示してもよい（図２１の五千円参照）。このような態様を採用することで、当該ある金種に関して回収処理や補充処理等を行う必要があることを操作者にさらに確実に気づかせることができる。なお、このような強調表示は、ある金種の在高が第一閾値未満となりニアフル状態が解消されたり、ある金種の在高が第二閾値よりも大きくなりニアエンプティ状態が解消されたりした時点で通常表示に切り替わってもよいし、所定の時間が経過した時点で通常表示に切り替わってもよいし、操作部５０からの入力を受けて通常表示に切り替わってもよい。
【０１１１】
また、ある金種に対する在高情報の表示態様は、貨幣を回収する回収モード又は貨幣を補充する補充モードとなっている場合には第四表示状態となるが（図１７参照）、貨幣の入金処理や出金処理といった貨幣を通常に処理する通常モードとなっている場合には通常表示からなる第一表示状態となる態様を採用した場合には（図９、図１０及び図１８参照）、回収モードや補充モードになった段階でこれらの処理に必要な表示態様にすることができる。
【０１１２】
より具体的な例を用いて説明すると、ある金種（例えば高額金種や入出金量の少ない金種）に関して第一表示状態においては在高を示すバロメータ及び在高枚数の両方が表示部４０で表示されていないが（図１０の千円以上の金種を参照）、当該ある金種に関して第四表示状態においては在高を示すバロメータ及び在高枚数の両方（図１７参照）又はいずれか一方が表示部４０で表示される態様を採用した場合や、ある金種（例えば高額金種や入出金量の少ない金種）に関して第一表示状態においては在高を示すバロメータ及び在高枚数の両方又はいずれか一方が表示部４０で表示されていないが（図１０及び図９の千円以上の金種を参照）、当該ある金種に関して第四表示状態においては在高を示すバロメータ及び在高枚数の両方が表示部４０で表示される態様を採用した場合には（図１７参照）、通常表示においてはセキュリティ性の向上や入出金量の多い金種を目立たせたりすることを実現しつつ、回収モードや補充モードにおいて必要な情報を表示部４０で表示させることができる。
【０１１３】
また、記憶部６０に記憶された在高情報に対する複数の表示態様の中から、ある金種に対する在高情報の表示態様を切り替え表示可能となっていてもよい。このような態様を採用することで、必要に応じて表示態様を切り替えることができる。より具体的には、通常表示からなる第一表示状態、過剰表示からなる第二表示状態、不足表示からなる第三表示状態並びに回収モード及び補充モードにおいて表示される第四表示状態の各々において、各金種の在高情報について、在高を示すバロメータ及び在高枚数の両方を表示しないのか（図１０の千円以上の金種を参照）、在高を示すバロメータ及び在高枚数の一方のみを表示するのか（図９及び図１８の千円以上の金種を参照）、又は、在高を示すバロメータ及び在高枚数の両方を表示するのか（図９、図１０及び図１８の５００円以下の金種を参照）を、操作部５０から入力して選択できるようにしてもよい。このような態様を採用することで、各表示状態における表示態様を、金種毎に適宜変更することができ、利用者のニーズに広く対応することができる。ちなみに、このような表示態様は、利用者の種類に応じて替えられるだけではなく、貨幣処理装置及びＰＯＳレジスタ３００の設置場所等に応じても替えられることとなる。
【０１１４】
また、過剰表示からなる第二表示状態、不足表示からなる第三表示状態又は回収モード及び補充モードにおいて表示される第四表示状態となった場合でも、所定の時間が経過するか又は操作部５０からの入力を受けて通常表示からなる第一表示状態に戻るようになってもよい。所定の時間が経過すると通常表示からなる第一表示状態に戻る態様を採用した場合には、操作者がある金種の在高が過剰になっているのか不足しているのかを認識するのに必要な時間が経過した後で、また、回収モード及び補充モードにおいてある金種の在高を確認するのに必要な時間が経過した後で、表示部４０の表示を自動で通常表示に戻すことができる。他方、操作部５０からの入力を受けて通常表示からなる第一表示状態に戻る態様を採用した場合には、操作者がある金種の在高が過剰になっているのか不足しているのかを実際に確認したり、回収モード及び補充モードにおいてある金種の在高を実際に確認したりした後で、操作部５０から入力を行うことで、表示部４０の表示を通常表示に戻すことができる。
【０１１５】
なお、表示部４０は、貨幣処理装置を起動した時点や操作者が交代した時点では第五表示態様となり、所定の時間が経過した時点で通常表示である第一表示状態に切り替わってもよいし、操作部５０からの入力を受けて通常表示である第一表示状態に切り替わってもよい。なお、この第五表示態様では、例えば、各金種に関して在高を示すバロメータ及び在高枚数の両方が表示される態様を挙げることができる（図１７参照）。
【０１１６】
また、本実施の形態による貨幣処理装置は、表示態様が切り替えられる在高の値を例えば金種毎に変更するための変更モードに切替可能となっていてもよい。このような態様を採用した場合には、表示が切り替えられる在高を金種毎に適宜変更することができ、利用者のニーズに広く対応することができる。より具体的には、表示部４０における表示が過剰表示からなる第二表示状態に切り替えられる第一閾値の値を各金種に対して設定できるようになってもよく、また、表示部４０における表示が不足表示からなる第三表示状態に切り替えられる第二閾値の値を各金種に対して設定できるようになってもよい。また、第三閾値の値も各金種に対して設定できるようになってもよく、また、第四閾値の値も各金種に対して設定できるようになってもよい。このように第一閾値の値、第二閾値の値、第三閾値の値及び第四閾値の値の各々を適宜変更することで、利用者のニーズにより広く対応することができる。
【０１１７】
第２の実施の形態
次に、本発明の第２の実施の形態について説明する。
【０１１８】
第２の実施の形態では、図２２に示すように、表示部４０が硬貨収納部１６０で補充可能な硬貨の枚数に対応する棒金の本数を表示する態様となっている。より具体的には、表示部４０が「各」金種別硬貨収納部１６１で補充可能な硬貨の枚数に対応する棒金の本数を表示する態様となっている。
【０１１９】
第２の実施の形態において、その他の構成は、第１の実施の形態と略同一の態様となっている。第２の実施の形態において、第１の実施の形態と同一部分には同一符号を付して詳細な説明は省略する。
【０１２０】
本実施の形態でも、第１の実施の形態と同様の効果を奏することができる。第１の実施の形態で詳細に説明したことから、本実施の形態における効果については適宜省略しながら説明する。
【０１２１】
従来であれば、硬貨処理装置１００に硬貨を補充しようとして、棒金管理機５００から棒金を取り出して、棒金をバラして硬貨を硬貨処理装置１００に投入していたが、金種別硬貨収納部１６１に入りきらない硬貨は硬貨払出部１９０から繰り出されて返却されており、このように返却された硬貨の取り扱いに困る場面があった。つまり、このようなバラ硬貨は棒金管理機５００の棒金収納部５２０に戻すことができず、仮に補助収納領域５３０にこのようなバラ硬貨を収納したとしても、このバラ硬貨は「死に金」（利用できない硬貨）となってしまう。一方、１００枚以上補充が可能であるにも関わらず、棒金を１本（５０枚）だけ取り出して硬貨処理装置１００に補充した後に、さらに補充可能であることに気付いて、再び棒金管理機から棒金を取り出して硬貨処理装置１００に補充するというのは、作業効率が悪い。
【０１２２】
これに対して、本実施の形態によれば、図２２に示すように、表示部４０が各金種別硬貨収納部１６１で補充可能な硬貨の枚数に対応する棒金の本数を表示する態様となっていることから、予め収納可能な棒金の本数を操作者は把握することができ、従来のように棒金をバラして硬貨処理装置１００に投入した結果、金種別硬貨収納部１６１に入りきらない硬貨が発生することを未然に防止することができる。したがって、取り扱いに困るバラ硬貨が発生することを防止することができる。
【０１２３】
また、本実施の形態によれば、２本以上の棒金に含まれる硬貨を対象となる金種別硬貨収納部１６１で収納できるときには、一度に２本以上の棒金を棒金管理機５００から取り出して硬貨処理装置１００に投入することができることから、作業効率を高めることができる。
【０１２４】
なお、各金種別硬貨収納部１６１で収納可能な硬貨の枚数は決まっており、例えば、５００円硬貨、１００円硬貨、５０円硬貨、１０円硬貨、５円硬貨及び１円硬貨を収納する各金種別硬貨収納部１６１は、対応する硬貨を例えば１００枚〜２００枚程度収納することができるようになっている。他方、一本の棒金は５０枚であったり２０枚であったり定まった枚数の硬貨からなっている。典型的には、５００円硬貨は５０枚で一本の棒金とされることもあるが、２０枚で一本の棒金とされることもある。このため、本実施の形態では、操作部５０から棒金に含まれる硬貨の枚数を金種毎に設定することができるようになってもよい。例えば、５００円硬貨を８０枚補充できる場合を例に取って説明すると、操作部５０から棒金収納部５２０で収納されている５００円硬貨の棒金の枚数が５０枚であると入力された場合には表示部４０は１本の５００円の棒金を補充できることを表示し、他方、操作部５０から棒金収納部５２０で収納されている５００円硬貨の棒金の枚数が２０枚であると入力された場合には表示部４０は４本の５００円の棒金を補充できることを表示する。
【０１２５】
また、棒金管理機５００が各棒金の取出を制御する取出ロック部５９０（図４参照）を有しており、補充可能な棒金の本数以上には対応する棒金を取り出せないようにしてもよい。また、このような取出ロック部５９０を設ける代わりに又は取出ロック部５９０に加えて、補充可能な棒金の本数以上の棒金が棒金管理機５００から取り出された際には、表示部４０でその旨が表示されたり、警告ランプ６０１が点灯・点滅したり、警告アラーム６０２が鳴ったりしてもよい。これらの態様によれば、棒金をバラして硬貨処理装置１００に投入した結果、金種別硬貨収納部１６１に入りきらない硬貨が発生することをより確実に防止することができ、ひいては、取り扱いに困るバラ硬貨が発生することをより確実に防止することができる。
【０１２６】
また、表示部４０は、ある金種に関して補充可能な棒金の本数と、当該ある金種に関して棒金収納部５２０に収納されている在高本数を比較して、棒金収納部５２０内に収納されている棒金の本数が不足しているか否かを表示するようになっていてもよい（図２２参照）。一例としては、ある金種に関して棒金収納部５２０に収納されている在高本数が、当該ある金種に関して補充可能な棒金の本数よりも少ないときには、表示部４０が、当該金種を点灯・点滅したり強調色（例えば赤色）で表示したりして、当該金種を強調表示してもよい。
【０１２７】
また、このようにある金種に関して棒金収納部５２０に収納されている在高本数が当該ある金種に関して補充可能な棒金の本数よりも少ないときには、硬貨処理装置１００やＰＯＳレジスタ等から管理者のパソコンやタブレット等の所定の端末（外部装置）に、ある金種の棒金が不足している旨の通知がされてもよい。
【０１２８】
また、表示部４０は、ある金種に関して当該ある金種を収納する金種別硬貨収納部１６１に棒金１本分以上の枚数を補充できるときに当該ある金種に関して補充可能な棒金の本数を表示し、当該ある金種を収納する金種別硬貨収納部１６１に棒金１本分以上の枚数を補充できないときには当該ある金種に関して補充可能な棒金の本数を表示しないようにしてもよい。また、図２３に示すように、ある金種に関して当該ある金種を収納する金種別硬貨収納部１６１に棒金の所定本数（例えば２本）以上の枚数を補充できるときに当該ある金種に関して補充可能な棒金の本数を表示し、当該ある金種を収納する金種別硬貨収納部１６１に棒金の所定本数（例えば２本）以上の枚数を補充できないときには当該ある金種に関して補充可能な棒金の本数を表示しないようにしてもよい。
【０１２９】
ちなみに、上記では「ある金種」としたが、上記の「ある金種」を「各金種」に置き換えた態様も本願には含まれている。
【０１３０】
ところで、上記では、第２の実施の形態が、第１の実施の形態と略同一の態様となっているとして説明したが、これに限られることはない。つまり、第２の実施の形態は第１の実施の形態から独立した態様となっていてもよい。このため、貨幣処理装置及び／又は貨幣処理システムは、「在高情報の表示態様を金種情報に紐付けて記憶した記憶部６０の記憶内容に基づいて在高情報を表示する表示部４０であって、ある一つの金種に関する在高情報と別の一つの金種に関する在高情報とを異なる態様で表示する表示部４０」を備える必要は必ずしもなく、例えば、（１）ある金種に関して（又は各金種に関して）硬貨収納部１６０に収納可能な硬貨の枚数を棒金の本数に換算して表示可能な表示部４０を備えた硬貨処理装置１００となっていたり、（２）硬貨処理装置１００と、棒金収納部５２０を含む棒金管理機５００とを備えた貨幣処理システムにおいて、ある金種に関して（又は各金種に関して）硬貨処理装置１００の硬貨収納部１６０に収納可能な硬貨の枚数を棒金収納部５２０に収納された棒金の本数に換算して表示可能な表示部４０を備えた貨幣処理システムとなっていたりすればよい。
【０１３１】
第３の実施の形態
次に、本発明の第３の実施の形態について説明する。
【０１３２】
第３の実施の形態では、表示部４０で表示されるある金種の在高情報の表示位置を変更できる態様となっている（図２４（ａ）（ｂ）及び図２５（ａ）（ｂ）参照）。より具体的には、表示部４０で表示される「各金種」の在高情報の表示位置を変更できる態様となっている。
【０１３３】
第３の実施の形態において、その他の構成は、第１の実施の形態と略同一の態様となっている。第３の実施の形態において、第１の実施の形態と同一部分には同一符号を付して詳細な説明は省略する。
【０１３４】
本実施の形態でも、第１の実施の形態と同様の効果を奏することができる。第１の実施の形態で詳細に説明したことから、本実施の形態における効果については適宜省略しながら説明する。
【０１３５】
本実施の形態によれば、表示部４０で表示される各金種の在高情報の表示位置を適宜変更できるようになっている。このため、利用者の要求に応じて表示部４０における表示態様を適宜変更することができる。
【０１３６】
例えば、入出金量が多く、補充作業や回収作業を行う頻度が高い金種（例えば「１」を含む金種：１００円、１０円及び１円）を一つの領域、例えば縦一列又は横一列にまとめてやることが考えられる。図２４（ｂ）に示した態様では、右端の縦一列に上から順に１００円、１０円及び１円の在高が表示されるようになっている。このような態様によれば、これらの金種の在高を操作者がチェックしやすくすることができる。
【０１３７】
また、別の態様では、硬貨処理装置１００及び紙幣処理装置２００の配置に合わせて、各金種の在高を表示させるようにすることも考えられる。図１に示した態様では、紙幣処理装置２００が正面から見て左側に位置し硬貨処理装置１００が右側に位置していることから、図２５（ａ）に示すように、紙幣の金種である１万円、５千円及び千円は表示部４０の左端の一列で表示され、硬貨の金種である５００円、１００円、５０円、１０円、５円及び１円は表示部４０の中央部と右端の二列で表示されるようになっている。他方、図１に示した態様とは異なり紙幣処理装置２００が正面から見て右側に位置し硬貨処理装置１００が左側に位置している場合には、図２５（ｂ）に示すように、紙幣の金種である１万円、５千円及び千円は表示部４０の右端の一列で表示され、硬貨の金種である５００円、１００円、５０円、１０円、５円及び１円は表示部４０の中央部と左端の二列で表示されるようにしてもよい。
【０１３８】
ところで、上記では、第３の実施の形態が、第１の実施の形態と略同一の態様となっているとして説明したが、これに限られることはない。つまり、第２の実施の形態は第１の実施の形態から独立した態様となっていてもよい。このため、貨幣処理装置及び／又は貨幣処理システムは、「在高情報の表示態様を金種情報に紐付けて記憶した記憶部６０の記憶内容に基づいて在高情報を表示する表示部４０であって、ある一つの金種に関する在高情報と別の一つの金種に関する在高情報とを異なる態様で表示する表示部４０」を備える必要は必ずしもなく、例えば、（１）ある金種（又は各金種）の在高情報の相対的な表示位置を自在に変更できる表示部４０を備えた硬貨処理装置１００となっていたり、（２）硬貨処理装置１００と、表示部４０を有する外部装置とを備えた硬貨処理システムであって、外部装置の表示部４０はある金種（又は各金種）の在高情報の相対的な表示位置を自在に変更できるようになっていたりすればよい。
【０１３９】
最後になったが、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【０１４０】
４０          表示部
６０          記憶部
１００        硬貨処理装置
１５２        操作表示部（操作部、表示部）
１５３        ボタン式操作部（操作部）
２００        紙幣処理装置
３００        ＰＯＳレジスタ
３５１        ＰＯＳ表示部（表示部）
３５２        ＰＯＳ操作部（操作部）
５００        棒金管理機
【図１】
2018190470.tif 000003
【図２】
2018190470.tif 000004
【図３】
2018190470.tif 000005
【図４】
2018190470.tif 000006
【図５】
2018190470.tif 000007
【図６】
2018190470.tif 000008
【図７】
2018190470.tif 000009
【図８】
2018190470.tif 000010
【図９】
2018190470.tif 000011
【図１０】
2018190470.tif 000012
【図１１】
2018190470.tif 000013
【図１２】
2018190470.tif 000014
【図１３】
2018190470.tif 000015
【図１４】
2018190470.tif 000016
【図１５】
2018190470.tif 000017
【図１６】
2018190470.tif 000018
【図１７】
2018190470.tif 000019
【図１８】
2018190470.tif 000020
【図１９】
2018190470.tif 000021
【図２０】
2018190470.tif 000022
【図２１】
2018190470.tif 000023
【図２２】
2018190470.tif 000024
【図２３】
2018190470.tif 000025
【図２４】
2018190470.tif 000026
【図２５】
2018190470.tif 000027